(57)【要約】【課題】  組付作業性の容易化および小形コンパクト化を図ることができる浴槽用温水口装置を提供する。【解決手段】  槽内取付具２の前部フランジ部２５と流路形成部材３の外周壁部５２とのいずれか一方５２には、円周方向へ等配された複数の係止突部３１が形成され、他方２５には、円周方向へ等配されて、槽内取付具２の前部フランジ２５に対する前方からの押し付け操作で係止突部３１を軸方向で相対進入させる切欠開口２６と、切欠開口２６に係止突部３１を進入させた状態から前記流路形成部材３を軸周りへ回動操作した際の前記係止突部３１の変移に伴って、各係止突部３１にそれぞれ離脱可能に係合される複数の係合溝部２７（２８）が形成されている。【選択図】図２
2007010281.tif 000002
【特許請求の範囲】
【請求項１】
浴槽壁部に貫通状態に取付けられて、浴槽外に設置されている給湯機から供給される温水を循環可能に前記浴槽内に供給する浴槽用温水口装置において、
温水の浴槽内への吐出口と浴槽内の温水の吸込口とを有し、給湯機に配管接続された槽外取付具の２つの流路を前記吐出口および吸込口まで導く装置本体と、前記浴槽からの温水に対するフィルタ機能を有し、前記装置本体の所定個所に装着されたフィルタ部材とを備え、
前記装置本体は、前記浴槽の内側から前記壁部を貫通して前記槽外取付具に連通状態に結合された槽内取付具と、前記槽内取付具における結合用の前部フランジ部に対して結合される円形の流路形成部材とを備えており、
前記槽内取付具の前部フランジ部と流路形成部材の外周壁部とのいずれか一方には、円周方向へ等配された複数の係止突部が形成され、他方には、円周方向へ等配されて、槽内取付具の前部フランジに対する前方からの押し付け操作で係止突部を軸方向で相対進入させる切欠開口と、切欠開口に係止突部を進入させた状態から前記流路形成部材を軸周りへ回動操作した際の前記係止突部の変移に伴って、各係止突部にそれぞれ離脱可能に係合される複数の係合溝部とが形成されていることを特徴とする浴槽用温水口装置。
【請求項２】
前記切欠開口および係合溝部の数は、係止突部の整数倍であり、これら切欠開口および係合溝部は、前記槽内取付具に対する流路形成部材の円周方向の回動位置に応じて選択されるようになっている請求項１に記載の浴槽用温水口装置。
【請求項３】
前記係合溝部は、前記切欠開口を真中にして円周方向の両側に設けられている請求項１または２に記載の浴槽用温水口装置。
【請求項４】
前記槽内取付具の前部フランジ部に対する流路形成部材の回り止め手段を備えている請求項１〜３のいずれかに記載の浴槽用温水口装置。
【発明の詳細な説明】
【技術分野】
【０００１】
この発明は、浴槽壁部に貫通状態に装着されて、浴槽の外側の給湯機から供給された温水を循環可能に前記浴槽内に供給する用に供される浴槽用温水口装置に関する。
【背景技術】
【０００２】
従来より、浴槽に温水を供給する貯湯処理のみならず、追い焚き処理を行うようにした浴槽システムがかなり普及している。
【０００３】
この浴槽システムでは、浴槽の側壁に貫通状態で浴槽用温水口装置が取り付けられており、この温水口装置と浴槽外の給湯機とが配管接続されている。そして、貯湯時には、給湯機から供給された温水を温水口装置を介して浴槽内に導入する一方、追い焚き時には、槽内の温水を温水口装置から吸い込んで給湯機に送り込み、そこで再加熱した後、浴槽内に戻すように構成されている。
【０００４】
このような浴槽システムに用いられる浴槽用温水口装置は、一般に、浴槽の側壁外面側に取り付けられる槽外取付具と、温水吐出流路や温水吸込流路を有し、浴槽の側壁内面側に取り付けられる装置本体と、この装置本体に装着されたフィルタ部材とを備えており、装置本体は、前記浴槽の内側から側壁を貫通し、前記槽外取付具に結合された筒形槽内取付具と、槽内取付具の前部フランジ部に結合される円形の流路形成部材とで構成されている。
【０００５】
これら槽内取付具と前記流路形成部材とは、従来では、ねじ止め手段によって結合するのが一般的であった（特許文献１参照）。
【０００６】
具体的には、図１５に示すように、前記流路形成部材１０１の前面に複数（例えば３個のねじ挿通孔１０２・・・を円周方向へ等配して設ける一方、前記槽内取付具１０３の前部フランジ部１０３ａの前面外周部に複数（例えば６個）のねじ受用ボス部１０４・・・を円周方向へ等配して一体形成し、前記槽内取付具１０３を浴槽の側壁を通して槽外取付具（図示せず）に結合した状態で流路形成部材１０１のねじ挿通孔１０２を挿通したねじ１０５・・・を前記槽内取付具１０３の選択されたボス部１０４に螺入させることにより、流路形成部材１０１を前記槽内取付具１０３の前部フランジ部１０３ａに着脱可能に取付けていた。
【特許文献１】特開２００４−３０１４７２号公報
【発明の開示】
【発明が解決しようとする課題】
【０００７】
しかし、上記公知技術においては、前記流路形成部材１０１を槽内取付具１０３の前部フランジ部１０３ａに複数のねじ１０５・・・を用いて結合する構成であるから、複数個所のねじ止め作業が比較的面倒であるうえ、作業中にねじ１０５を落としたりすると、ねじ止め作業をやり直さなければならず、結果、この結合作業には、かなりの時間を要してしまう。
【０００８】
しかも、槽内取付具１０３の前部フランジ部１０３ａの前面に複数のねじ受け用ボス部１０４・・・を設けなければならず、これらねじ受け用ボス部１０４・・・の形成部位の確保のために、どうしても槽内取付具１０３が大形化するのを余儀なくされる。
【０００９】
この発明は、上記実情に鑑みてなさてたものであり、組付作業性の容易化および小形コンパクト化を図ることができる浴槽用温水口装置を提供することを課題とする。
【課題を解決するための手段】
【００１０】
上記課題は、以下の手段によって解決される。
【００１１】
［１］浴槽壁部に貫通状態に取付けられて、浴槽外に設置されている給湯機から供給される温水を循環可能に前記浴槽内に供給する浴槽用温水口装置において、
温水の浴槽内への吐出口と浴槽内の温水の吸込口とを有し、給湯機に配管接続された槽外取付具の２つの流路を前記吐出口および吸込口まで導く装置本体と、前記浴槽からの温水に対するフィルタ機能を有し、前記装置本体の所定個所に装着されたフィルタ部材とを備え、
前記装置本体は、前記浴槽の内側から前記壁部を貫通して前記槽外取付具に連通状態に結合された槽内取付具と、前記槽内取付具における結合用の前部フランジ部に対して結合される円形の流路形成部材とを備えており、
前記槽内取付具の前部フランジ部と流路形成部材の外周壁部とのいずれか一方には、円周方向へ等配された複数の係止突部が形成され、他方には、円周方向へ等配されて、槽内取付具の前部フランジに対する前方からの押し付け操作で係止突部を軸方向で相対進入させる切欠開口と、切欠開口に係止突部を進入させた状態から前記流路形成部材を軸周りへ回動操作した際の前記係止突部の変移に伴って、各係止突部にそれぞれ離脱可能に係合される複数の係合溝部とが形成されていることを特徴とする浴槽用温水口装置。
【００１２】
［２］前記切欠開口および係合溝部の数は、係止突部の整数倍であり、これら切欠開口および係合溝部は、前記槽内取付具に対する流路形成部材の円周方向の回動位置に応じて選択されるようになっている前項１に記載の浴槽用温水口装置。
【００１３】
［３］前記係合溝部は、前記切欠開口を真中にして円周方向の両側に設けられている前項１または２に記載の浴槽用温水口装置。
【００１４】
［４］前記槽内取付具の前部フランジ部に対する流路形成部材の回り止め手段を備えている前項１〜３のいずれかに記載の浴槽用温水口装置。
【発明の効果】
【００１５】
前項［１］に記載の発明によれば、浴槽の壁部の外面側に設けられて、給湯機に配管接続された槽外取付具に対して浴槽の内側から槽内取付具を結合した状態で、流路形成部材と槽内取付具の前部フランジ部とのいずれか一方、例えば流路形成部材側に形成された複数の係合突部を、他方の側の複数の切欠開口に合わせて進入させてから回動操作すれば、これら係合突部が前記係合溝部に離脱可能に係合される。
【００１６】
つまり、流路形成部材を押し込んでから回動操作するだけで簡単に槽内取付具に結合でき、現場での結合作業が迅速に行えるうえ、ねじ止め手段のように槽内取付具の前部フランジ部の全周に複数のねじ受け用ボスを形成する必要がなく、小形に製作することができる。
【００１７】
前項［２］に記載の発明によれば、切欠開口および係合溝部の数が係止突部の整数倍であるから、温水の吐出口などの向きの設定するために、流路形成部材の円周方向の位置を決める際に、流路形成部材の好適位置に応じて切欠開口および係合溝部を選択することができ、切欠開口や係合溝部の数が多くなる程、流路形成部材を円周方向の最適位置に近くづけることが可能となる。
【００１８】
前項［３］に記載の発明によれば、切欠開口を真中にして円周方向の両側の係合溝部が形成されているから、流路形成部材を左右のいずれに回動変移しても、係止突部を係合溝部に係止でき、このことは、流路形成部材の円周方向の位置を可及的に最適位置に近づけて設定できる。
【００１９】
前項［４］に記載の発明によれば、フィルタ部材を回動操作して外す際に、流路形成部材が供回りすることがなく、このため、意に反して係合突部が係合溝部から外れるのが防止される。
【発明を実施するための最良の形態】
【００２０】
以下、この発明の実施形態を図面に基づいて説明する。
【００２１】
図１〜図４は、この発明の実施形態にかかる浴槽用温水口装置Ｐを示す図である。これらの図に示すように、この実施形態にかかる浴槽用温水口装置Ｐは、浴槽Ｔの側壁Ｔａに設けられた取付孔Ｈに取り付けられるものであり、浴槽Ｔの外に設けられた給湯機（図示せず）からの温水を浴槽Ｔ内に供給して、湯はりなどの貯湯処理を行うことができる。
【００２２】
さらに、浴槽Ｔ内の温水を吸い込んで給湯機に送り、それを再加熱し、その高温の温水を浴槽Ｔに戻して追い焚きなどの循環処理を行うこともできる。
【００２３】
なお、この浴槽用温水口装置Ｐは、この装置Ｐが備えている外管接続部１ａ，１ｂに対して、給湯機に繋がる往き管および戻り管のどちらを接続しても使用可能な、いわゆる無極タイプのものである。
【００２４】
図１〜図４に示すように、この実施形態の浴槽用温水口装置Ｐは、槽外取付具１と、装置本体１０と、フィルタ部材９とを基本的な構成要素として備えており、さらに、装置本体１０は、槽内取付具２と、流路形成部材３とを備えている。
【００２５】
槽外取付具１は、一端側（前面側）が開放され、かつ他端側（後面側）が閉塞された円筒形状の外筒体１２と、その外筒体１２の内部に同軸上に配設された円筒形状の内筒体１１を備えており、前記外筒体１２の一端外周には、平板リング状の前部フランジ部１５が一体形成される一方、外筒体１２の他端閉塞壁には、軸方向へ沿って延びる第１および第２の外管接続部１ａ，１ｂが接続されている。また、前記外筒体１２の一端側内周面には、雌ねじ部１４が形成されている。
【００２６】
内筒体１１の内側空間は、温水用の第１流路Ａの一部として構成される一方、内筒体１１と外筒体１２との環状空間は、温水用の第２流路Ｂの一部として構成されている。また、前記第１の外管接続部１ａが第１流路Ａに連通される一方、第２の外管接続部１ｂが前記第２流路Ｂに連通されている。
【００２７】
なお、前記内筒体１１の一端側内周面には、合成ゴムなどからなるＯリング８１が収容配置されている。
【００２８】
また、槽外取付具１の前部フランジ部１５には、合成ゴムなどからリング状に成形され被覆パッキング８が外嵌されている。この被覆パッキング８の内周面に形成された環状の嵌合溝８２ａを前部フランジ部１５の前方から嵌め込むことにより、被覆パッキング８は、該フランジ部１５の外周面のほぼ全域を被覆した状態で密着固定される。
【００２９】
被覆パッキング８の前面側は、厚板状に形成されてパッキング本体８２ｂとして構成されており、そのパッキング本体８２ｂの表裏面には、周方向へ連続する複数の密着用凹凸部（図２）８２ｃが一体形成されている。
【００３０】
装置本体１０における槽内取付具２は、軸方向（前後方向）の両端が開放された円筒形状の筒体２１と、この筒体２１の一端外周に設けられた平板状の前部フランジ部２５とを有し、これら筒体２１と前部フランジ部２５とは、ポリアセタート樹脂などの硬質樹脂により一体成形されている。
【００３１】
筒体２１の外周面には、槽外取付具１の雌ねじ部１４に螺合する雄ねじ部２４が形成されており、この雄ねじ部２４を雌ねじ部１４に螺合することにより、槽内取付具２が槽外取付具１に結合される。
【００３２】
前部フランジ部２５の後側面と浴槽Ｔの側壁Ｔａの内側面との間には、該槽内取付具２の筒体２１に外嵌される平板リング状の弾性パッキング８３が介在されている。この弾性パッキング８３は、例えば合成ゴム等から成形されている。
【００３３】
さらに、前部フランジ部２５の後側面と弾性パッキング８３との間には、槽内取付具２の筒体２１に外嵌される平板リング状の緩衝部材８４が介在されている。この緩衝部材８４は、軟質性ないしは弾性を有するポリエチレン樹脂などの軟質合成樹脂で成形されている。
【００３４】
まず、槽内取付け具２における筒体２１に緩衝部材８４、パッキング８３を外嵌しておく。
【００３５】
そして、槽外取付具１の前部フランジ部１５を前記浴槽Ｔの側壁Ｔａの取付孔Ｈの周縁部に沿わせて配置した状態で、側壁Ｔａの内側から槽内取付具２筒体２１を前記取付孔Ｈを挿通するとともに、その外周面の雄ねじ部２４を槽外取付具１における雌ねじ部１４に螺入すれば、前記槽外取り付け具１におけるフランジ部１５と槽内取付け具２における前部フランジ部２５とが側壁Ｔａを挟んだ状態で結合・固定される。
【００３６】
この組み付け状態では、緩衝部材８４およびパッキング８３が弾性変形し、パッキング８３と前部フランジ部２５との間のシール部の密着面が増大して水密性が確保される。
【００３７】
また、前部フランジ部２５の後側面に突条リブ（図示せず）を設けておけば、単位面積当たりの接触圧が高くなり、浴槽Ｔの側壁Ｔａの内側面と前部ランジ部２５との間の水密性が向上する。
【００３８】
さらに、槽内取付け具２における雄ねじ部２４を槽外取付具１における雌ねじ部１４に螺合する際に前記突状リブの圧接によるパッキング８３への応力が前記緩衝部材８４により分散されて吸収されるから、パッキング８３への応力集中が回避され、切り裂き（ねじ切れ）などが有効に防止される。
【００３９】
さて、装置本体１０における流路形成部材３は、流路形成部材本体４と、蓋体６とを備えている。
【００４０】
流路形成部材本体４は、細長円筒形状の筒体４１と、この筒体４１の一端に連成された区画室部材５とを有しており、両者４１，５は、硬質合成樹脂により一体成形されている。
【００４１】
筒体４１は、槽外取付具１における内筒体１１に対して密に内嵌されることにより、この内筒体１１に連通して、前記第１の流路Ａの一部を構成しており、また、この筒体４１の外周面と前記槽内取付具２の筒体２１の内周面との環状空間は、前記第２の流路Ｂの一部を構成している。
【００４２】
なお、筒体１１の外周面と前記内筒体１１の内周面との間は、前記Ｏリング８１で水封されている。
【００４３】
区画室部材５は、筒体４１の一端に連成された円盤状の底板５１と、その底板５１の前面側外周を囲む外周壁５２とが一体形成されており、この外周壁５２の内側に前記槽内取付具２における前部フランジ部２５が嵌まり込み、その前部フランジ部２５の前面が底板５１の後面に密に当接されている。
【００４４】
区画室部材５における底板５１の後面には、図５、図６および図１４に示すように、前記外周壁５２と同軸上に位置して槽内取付具２の筒体２１の開口縁部に内嵌される環状壁部５３が形成されている。
【００４５】
この環状壁部５３は、流路形成部材本体４における細長円筒形状の筒体４１との周りに前記第２流路Ｂの連通する環状空間を成させるものである。
【００４６】
この環状壁部５３の外周部位と前記筒体２１の開口縁部との間には、環状パッキング８５が介在されている。
【００４７】
上記底板５１における環状壁部５３に囲まれた部位には、図５、図６および図１４に示すように、左右で２つに区画されており、左右方向の一方の側の上部および下部には、それぞれ第１吸込弁設置口５４ａと第１吐出弁設置口５５ａとが隔壁５６ａを挟んで形成されており、さらに、他方の側の上部および下部には、それぞれ第２吸込弁設置口５４ｂと第２吐出弁設置口５５ｂとが隔壁５６ｂを挟んで形成されている。
【００４８】
これら第１および第２吸込弁設置口５４ａ，５４ｂならびに第１および第２吐出弁設置口５５ａ，５５ｂは温水流通孔を兼務している。
【００４９】
第１吸込弁設置口５４ａと第１吐出弁設置口５５ａとには、図４および図１４に示すように、それぞれ第１吸込弁７ａと第１吐出弁８ａとがそれぞれ配備されており、また、第２吸込弁設置口５４ｂと第２吐出弁設置口５５ｂとには、それぞれ第２吸込弁７ｂと第１吐出弁８ｂとがそれぞれ配備されている。
【００５０】
第１吸込弁７ａと第１吐出弁８ａとは一体形成されており、上下方向の中央部で前記隔壁５６ａを跨るように配置されている。
【００５１】
なお、第１吸込弁７ａおよび第１吐出弁８ａは、図４および図１４に示すように、底板５１の前面に対向する弁座７１に対して、その後面側における一方のスリット７１ａを上下方向から挿入して設けられており、底板５１から突出するピン７２ａに挿入・支持されている。
【００５２】
第１吸込弁７ａは、温水の吸込時に、後方へ弾性変形して前記第１吸込弁設置口５４ａを開放する一方、第１吐出弁８ａは、温水の吐出時に、前方へ弾性変形して前記第１吐出弁設置口５５ａを開放するように設定されている。
【００５３】
また、前記第２吸込弁７ｂと第１吐出弁８ｂも上記と同様に一体形成されており、上下方向の中央部で  前記隔壁５６ｂに跨るように配置されている。
【００５４】
なお、第２吸込弁７ｂおよび第２吐出弁８ｂも、図４および図１４に示すように、底板５１の前面に対向する弁座７１に対して、その後面側における一方のスリット７１ｂを上下方向から挿入して設けられており、底板５１から突出するピン７２ｂに挿入・支持されている。
【００５５】
第２吸込弁７ｂは、温水の吸込時に、後方へ弾性変形して前記第２吸込弁設置口５４ｂを開放する一方、第２吐出弁８ｂは、温水の吐出時に前方へ弾性変形して前記第１吐出弁設置口５５ｂを開放する。
【００５６】
なお、前記第１吸込弁７ａおよび第１吐出弁８ａならびに第２吸込弁７ｂおよび第２吐出弁８ｂには、それぞれ前記ピン７２ａ，７２ｂの圧入孔７３ａ，７３ｂが形成されており、弁座７１にも、ピン圧入孔７４ａ，７４ｂが形成されている。
【００５７】
また、第１吸込弁７ａおよび第２吸込弁７ｂの各前側には、図４、図１３および図１４に示すように、弁座７１において、第１吸込弁７ａおよび第２吸込弁７ｂが温水吐出時に前方へ変形するのを阻止する変形阻止リブ５８，５８がそれぞれ設けられており、また、第１吐出弁８ａおよび第２吐出弁８ｂの後側には、図４、図１３および図１４に示すように、第１吐出弁８ａおよび第２吐出弁８ｂが温水吸込時に後方へ変形するのを阻止する変形阻止リブ５９，５９がそれぞれ形成されている。
【００５８】
また、前記第１吐出弁８ａおよび第２吐出弁８ｂに前側には、温水吐出時に第１吐出弁８ａおよび第２吐出弁８ｂが前方へ過剰変形するのを阻止する傾斜面付きリブ６０（図１３）が形成されている。
【００５９】
流路形成部材本体４における細長円筒形状の筒体４１の前端開口は、前記第１吸込弁設置口５４ａと第１吐出弁設置口５５ａに対して非連通となるように左右方向の半分が閉塞される一方、第２吸込弁設置口５４ｂと第２吐出弁設置口５５ｂに対してのみ連通するように、左右方向の他方の半分のみが開放されて、第２吸込弁設置口５４ｂと第２吐出弁設置口５５ｂを一緒に取り囲む流路ガイド室５７が形成されている（図５〜図７および図１４参照）。すなわち、前記第１の流路Ａは、前記第２吸込弁設置口５４ｂと第２吐出弁設置口５５ｂに連通している。
【００６０】
蓋体６は、区画室部材５における外周壁５２の前側開口に対応して硬質合成樹脂により円板形に成形されており、前記外周壁５２の前側開口端面に接合されている。
【００６１】
この蓋体６の後面と、前記区画室部材５における底板５１の前面とのいずれか一方、例えば蓋体６の後面には、図５、図６および図１４に示すように、左右方向の一端から他端まで横断して、前記底板５１の前面と蓋体６の後面との間の空間を上下で２分する横条隔壁リブ６１と、この隔壁リブ６１よりも上側の空間を左右で２分する縦条隔壁リブ６２が形成されている。
【００６２】
横条隔壁リブ６１は、前記第１吸込弁設置口５４ａと第１吐出弁設置口５５ａとの間ならびに第２吸込弁設置口５４ｂと第２吐出弁設置口５５ｂとの間をそれぞれ隔てる位置に対応している。
【００６３】
これにより、横条隔壁リブ６１の上側空間は、前記第１吸込弁設置口５４ａおよび第２吸込弁設置口５４ｂに連通して、吸込時の温水が通過する吸込流路として構成される一方、横条隔壁リブ６１の下側空間は、第１吐出弁設置口５５ａおよび第２吐出弁設置口５５ｂに連通して、吐出時の温水が通過する吐出流路として構成されている。
【００６４】
縦条隔壁リブ６２は、前記第１吸込弁設置口５４ａおよび第１吐出弁設置口５５ａと第２吸込弁設置口５４ｂおよび第２吐出弁設置口５５ｂとの間を隔てる位置に対応している。
【００６５】
蓋体６の前面上部には、小孔からなる吸込口６ａ，６ｂの群が縦条隔壁リブ６２を境界にして左右に分かれた状態で貫通形成されている。一方の吸込口６ａは、第１吸込弁設置口５４ａに対応する一方、他方の吸込口６ｂは、前記第２吸込弁設置口５４ｂに対応している。
【００６６】
つまり、吸込口６ａは、前記第２流路Ｂに対応し、吸込口６ｂは第１流路Ａに対応している。
【００６７】
横条隔壁リブ６１の下側空間に対応して区画室部材５の外周壁５２の略下半部位が開放されており、この開放部位は、円弧状の吐出口６ｃとなっている。つまり、この吐出口６ｃは、前記第１吐出弁設置口５５ａ、５５ｂに対応しており、高温の温水を浴槽Ｔの側壁に沿って吐出するようになっている。
【００６８】
また、流通形成部材３における区画室部材５および蓋体６には、その外周面に、フィルタ部材９を取付けるための複数（例えば３個）の鉤状溝３６・・・が円周方向へ等配した位置に形成されている。
【００６９】
フィルタ部材９は、蓋体６の前面側から区画室部材５の外周面を覆うように配置されるもので、例えば合成樹脂により桶形に成形されており、その外周壁９ａの内周面には、前記流路形成部材３の外周面における鉤状溝３６・・・にそれぞれ対応して、複数（例えば３個）の係合突起９６・・・が形成されている。
【００７０】
そして、これら係合突起９６・・・を前記鉤状溝３６・・・に挿入して回動変移するこにより、フィルタ部材９が前記流路形成部材３に着脱可能に装着される。
【００７１】
フィルタ部材９の前面壁には、前後方向へ貫通する多数の小孔からなる吸込用開口９５が形成されており、また、その外周壁９ａの下半部には、前記吐出口６ｃに対応して吐出開口９７が形成されている。
【００７２】
流路形成部材３における区画室部材５の外周壁５２と槽内取付具２の前部フランジ部２５の外周面とは、流路形成部材３を槽内取付具２に対して結合するための互いの結合部位として構成されている。
【００７３】
区画室部材５の外周壁５２と槽内取付具２の前部フランジ部２５とのいずれか一方、例えば区画室部材５の外周壁５２の内周面には、図７および図８に示すように、径方向内方へ突出する結合用の複数（例えば３個）の係止突部３１・・・が円周方向へ等配して形成されており、各係止突部３１の突出方向（径方向内方）の先端面には、幅方向（円周方向）中央に節度用の小溝３１ａが形成されている。
【００７４】
他方、つまり槽内取付具２の前部フランジ部２５の前面外周縁部には、図９〜図１１に示すように、流路係形成部材３の前方への押し込み操作に伴って、前記係止突部４１・・・の進入を許容する複数の切欠開口２６・・・が形成されている。
【００７５】
また、槽内取付具２の前部フランジ部２５の外周面には、区画室部材５の係止突部３１を前方から切欠開口２６に進入せた状態で該区画室部材５を軸周りの一方向（例えば左周り方向）へ回動操作した際に係脱可能に係合する係合溝部２７が形成されており、切欠開口２６とで、平面形状が鉤形溝となっている。
【００７６】
前記切欠開口２６および係合溝部２７の数は、係止突部３１・・と同じ３個であってもよいが、前記吐出口６ｃを下向きにさせる必要から流路形成部材３の円周方向（軸周り方向）の位置を決める際に、その位置が選択できるようにするために、係合突部３１・・の数の整数倍、例えば２倍である６個が設けられている。勿論、さらに、増数することも可能である。
【００７７】
各係合溝部２７の底面には、図９および図１１に示すように、係止突部３１の係合された際に前記小溝３１ａに嵌合して係合位置での節度を付与する小突条２７ａが形成されている。
【００７８】
ところで、この例では、図９〜図１１に示すように、流路形成部材本体４を軸周りの一方向へ回動変移させた際に係止突部３１に係合される係合溝部２７のみならず、流路形成部材本体４を軸周りの他方向（例えば右周り方向）へ回動操作した際にも、係止突部３１に係脱可能に係合する係合溝部２８が形成されており、その係合溝部２８の底面にも、係止突部３１の小溝３１ａに嵌合して係合位置で節度を付与する小突条２８ａが形成されている。
【００７９】
一方、蓋体６の前面には、図６にも示すように、区画室部材５まで貫通する一つのねじ挿通孔６３が形成されており、このねじ挿通孔６３には、流路形成部材３を槽内取付具２に対して回り止めするためのねじ６４が挿通されるようになっている。
【００８０】
また、記槽内取付具２の前部フランジ部２５の前面には、ねじ６４に螺合される複数のねじ孔２９・・・が円周方向で等配して設けられている。このらのねじ孔２９・・・は、流路形成部材３の円周方向の位置を決める際に、最適位置にできるだけ適合するものの一つが選択される。
【００８１】
上記構成からなる温水口装置の浴槽Ｔへの取付け手順はとくに限定されるものではないが、例えば、以下のような手順で組み付けられる。
【００８２】
まず、槽外取付具１の前部フランジ部１５に被覆パッキング８を被せた状態で、この槽外取付具１を、浴槽Ｔの側壁Ｔａの外側から取付孔Ｈに対応して配置する一方、槽内取付具２における前部フランジ部２５の後面側に、筒体２１に外嵌した緩衝部材８４およびパッキング８３を配置しておく。
【００８３】
その状態で、槽内取付具２の筒体２１を浴槽Ｔの側壁Ｔａの内側から取付孔Ｈに挿通し、筒体２１の雄ねじ部２４を槽外取付具１の雌ねじ部１４に螺入すれば、前記槽外取付具１と槽内取付具２とが連通状態に結合されるともに、それぞれの前部フランジ部１５，２５により浴槽Ｔの側壁Ｔａを挟持した状態で固定される。
【００８４】
ついで、流路形成部材３を槽内取付具２に取付ける。なお、流路形成部材３は、例えば工場出荷段階において、前記流路形成部材本体４と蓋体６との間に前記吸込弁７ａ，７ｂや吐出弁８ａ，８ｂがセットされた状態で蓋体６が流路形成部材本体４に溶着固定されている。
【００８５】
この状態で、流路形成部材３における３個の係合突部３１を前記槽内取付具２における３個の切欠開口２６に進入させてから、流路形成部材３を回動操作して、該係止突部３１を槽内取付具２における係合溝部２７（もしくは係合溝部２８）に係合する。
【００８６】
この際、流路形成部材本体４における３個の係止突部３１に対して槽内取付具２における切欠開口２６および係合溝部２７（２８）が６個形成されているから、流路形成部材３の適正位置に適合する３個の切欠開口２６および係合溝部２７（２８）を選択する。
【００８７】
具体的には、温水を吐出口６ｃから浴槽Ｔの側壁Ｔａの内面に沿って下方へ吐出させるために、前記吐出口６ｃが下方に向く位置にとなるように流路形成部材本体４の回動位置を設定し、これに適合する３個の切欠開口２６・・・を選択し、３個の係止突部３１・・・を図１２（ａ）に示すように、切欠開口２６・・・に進入させる。
【００８８】
この状態から流路形成部材３を回動操作して３個の係止突部３１・・・を図１２（ｂ）に示すように、前記係合溝部２７（２８）に係合すればよい。
【００８９】
すなわち、流路形成部材３を後方へ押し付ける操作および回動操作を行えば、係止突部３１および係合溝部２７（２８）を介して前記槽内取付具２に簡単に結合させることができ、従来のような複数個所をねじ止めするものに比して、結合作業性が向上する。
【００９０】
また、結合用のねじが不要となって、部品点数の削減が図れるうえ、前記槽内取付具２の前部フランジ部２５の全周に多数のねじ受けボス部を設ける必要がなくなり、コンパクトに製作できる利点がある。
【００９１】
この流路形成部材３を上記とは反対方向へ回動した場合でも、係止突部３１が係合溝部２８（２７）に係合する構成であるから、流路形成部材３の回動位置の選択範囲が広がり、所望位置に可及的に近づけて設定することが可能となる。
【００９２】
この後、蓋体６および区画室部材５のねじ挿通孔６３にねじ６４を挿通するとともに、槽内取付具２におけるねじ孔２９に螺入すれば、流路形成部材３の槽内取付具２に対する係合が意に反して解除されるのが防止される。勿論、ねじ６４により止め手段に限らず、例えばピンを使う手段なども採用可能である。
【００９３】
最後に、流路形成部材３の前方からフィルタ部材９を被せ、該フィルタ部材９の係合突起９６を前記区画室部材５の外周面の鉤状溝３６に係合すれば、フィルタ部材９が区画室部材５に装着される。
【００９４】
こうして浴槽Ｔに組み付けられた温水口装置Ｐにおいて、槽外取付具１の外管接続部１ａ，１ｂに、浴槽Ｔの外の給湯機からの配管が接続されて、浴槽システムが構成される。
【００９５】
この浴槽システムにおいて、浴槽Ｔ内に温水を供給して貯湯する場合には、２つの外管接続部１ａ，１ｂの双方に温水をを供給して、第１および第２の流路Ａ，Ｂを通って、流路形成部材３のに流入する。
【００９６】
第１の流路Ａ、つまり流路形成部材３における筒体４１の内部空間を通って流入した温水の圧力によって吐出弁８ｂが前方へ変形される一方、第２の流路Ｂ、つまり流路形成部材３における筒体４１と槽内取付具２における筒体２１との間の環状空間を通って流入した温水の圧力によって吐出弁８ａも前方へ変形される。
【００９７】
これにより、左右の吐出弁設置口５５ａ，５５ｂがそれぞれ開放され、温水がこれら吐出弁設置口５５ａ，５５ｂを通過して区画室部材５の外周壁における吐出口６ｃおよびフィルタ部材９の吐出開口９７から下方に向かって吐出される。この結果、浴槽Ｔの側壁Ｔａに沿って温水が供給され、安全な状態で貯湯が行われる。
【００９８】
また、浴槽Ｔの温水を再加熱するような追い焚き処理を行う場合には、温水口装置Ｐにおける第１および第２の流路Ａ，Ｂのうち、給湯機の往き管に接続された側の流路が吐出用流路として機能し、戻り管に接続された側の流路が吸込用流路として機能し、いわゆる温水の強制循環が行われる。
【００９９】
例えば、第１流路Ａが吐出流路、第２流路Ｂが吸込流路となるように配管接続された場合、浴槽Ｔ内の温水の吸込時においては、給湯機の戻り管および第２流路Ｂの負圧によって、区画室部材５の底板５１と蓋体６との空間が負圧になる。このため、浴槽Ｔ内の温水の水圧によって流路形成部材３における吸込弁７ａが後方へ変形し、吸込弁設置口５４ａが開放される。これにより、浴槽Ｔ内の温水がフィルタ部材９の吸込用開口９５を通して区画室部材５内に流入され、第２流路Ｂを通って給湯機に戻されて、再加熱される。
【０１００】
追い焚きされた温水の吐出時には、給湯機から供給された温水が第１流路Ａを通って吐出弁８ｂを前方へ変形させる。これによって、吐出弁設置口８ｂが開放されて前記区画室部材５の外周壁における吐出口６ｃおよびフィルタ部材９の吐出用開口９５から下方に向かって吐出されて、再加熱された温水が浴槽Ｔ内に安全な状態で戻されることになる。
【０１０１】
ところで、この温水口装置Ｐの交換時や保守時に浴槽Ｔの側壁Ｔａから取り外す場合には、前記フィルタ部材９を流路形成部材３から外した後、前記回り止め用のねじ６４を外し、流路形成部材３を反対方向へ回動操作すれば、前記係止突部３１と係合溝部２７（２８）との係合が解除されるから、前記流路形成部材３を前方に引けば、槽内取付具２との結合が解除される。そして、この槽内取付具２をねじ戻し操作して槽外取付具２と分離させることができる。
【０１０２】
なお、前記実施形態では、係止突部３１を区画室部材５の外周壁５２の内周面に設け、係合溝部２７，２８を槽内取付具２における前部フランジ部２５に設けたものであるが、例えば区画室部材５の外周壁５２に槽内取付具２における前部フランジ部２５を外嵌させるような構成であれば、前記係止突部３１を槽内取付具２における前部フランジ部２５に設け、係合溝部２７，２８を区画室部材５の外周壁５２側に設けるなど、各種変形構造の採用も可能である。
【０１０３】
また、前記流路形成部材３における弁構造や流路構造などについても、流路形成部材３槽内取付具２との結合構造に支障を来さなければ、任意の構成を導入できるものである。
【図面の簡単な説明】
【０１０４】
【図１】この発明の実施形態にかかる浴槽用温水口装置を示す分解斜視図である。
【図２】同じく温水口装置を組み付け状態で示す断面図である。
【図３】同じく温水口装置のフィルタ部材を後方から見た斜視図である。
【図４】同じく温水口装置の流路形成部材の分解斜視図でる。
【図５】同じく流路形成部材の正面断面図である。
【図６】同じく流路形成部材の後面図である。
【図７】同じく流路形成部材を後方から見た斜視図である。
【図８】同じく流路形成部材における係止突部の形成部位を後方から見た斜視図である。
【図９】同じく温水口装置の槽内取付具を後方から見た斜視図である。
【図１０】同じく槽内取付具の後面図である。
【図１１】同じく槽内取付具における係合溝部の形成部位を示す後面図である。
【図１２】（ａ）は、係止突部を切欠開口に進入させた状態を示す後面図、（ｂ）は、係止突部を係合溝部に係合した状態を示す後面図である。
【図１３】弁の配置部位の概要を示す断面図である。
【図１４】弁の配置部位を後方から見た分解斜視図である。
【図１５】従来の浴槽用温水口装置の要部の説明図である。
【符号の説明】
【０１０５】
１  槽外取付具
２  槽内取付具
３  流路形成部材
６ａ，６ｂ  吸込口
６ｃ  吐出口
７ａ，７ｂ  吸込弁
８ａ，８ｂ  吐出弁
９  フィルタ部材
１０  装置本体
２５  槽内取付具の前部フランジ部
２６  切欠開口
２７，２８  係合溝部
３１  係止突部
５２  流路形成部材の外周壁部
６４  回り止め手段
Ａ  第１流路
Ｂ  第２流路
Ｈ  取付孔
Ｐ  浴槽用温水口装置
Ｔ  浴槽
Ｔａ  浴槽の壁部
【図１】
2007010281.tif 000003
【図２】
2007010281.tif 000004
【図３】
2007010281.tif 000005
【図４】
2007010281.tif 000006
【図５】
2007010281.tif 000007
【図６】
2007010281.tif 000008
【図７】
2007010281.tif 000009
【図８】
2007010281.tif 000010
【図９】
2007010281.tif 000011
【図１０】
2007010281.tif 000012
【図１１】
2007010281.tif 000013
【図１２】
2007010281.tif 000014
【図１３】
2007010281.tif 000015
【図１４】
2007010281.tif 000016
【図１５】
2007010281.tif 000017